(57)【要約】【課題】メール表示時に特別な操作を行うことなく、電子メールを分類別に格納するメールフォルダ毎にメールの表示形態を変更できるようにする。【解決手段】ＣＰＵ１は、受信メールを分類別に格納する複数のサブフォルダが設けられている状態において、このサブフォルダ内の受信メールを表示する際に、この受信メール対応のサブフォルダに割り当てられている表示属性情報に応じた表示文字サイズで当該受信メールをメイン表示部１７に表示出力させる。【選択図】  図1
2006155005.tif 000002
【特許請求の範囲】
【請求項１】
電子メールを送受信するメール機能を備えた携帯端末装置であって、
受信あるいは送信した電子メールを分類別に格納するための複数のメールフォルダに対応して、メールフォルダ毎に割り当てられている表示属性情報を記憶管理する表示属性記憶手段と、
前記メールフォルダ内の電子メールを表示する際に、この電子メール対応のメールフォルダに割り当てられている表示属性情報を前記表示属性記憶手段から読み出し、この表示属性情報に応じた表示形態で当該電子メールを表示出力する表示制御手段と、
を具備したことを特徴とする携帯端末装置。
【請求項２】
差出人を示すメールアドレスに対応して、受信メールの格納先を示すメールフォルダを指定するフォルダ指定情報を記憶するアドレス帳を設け、
メールを受信した際に、この受信メールの差出人であるメールアドレスに基づいて前記アドレス帳を検索し、対応するフォルダ指定情報に基づいて当該メールの格納先となるメールフォルダを特定すると共に、この特定フォルダに割り当てられている表示属性情報に応じた表示形態で当該受信メールを表示出力する、
ようにしたことを特徴とする請求項1記載の携帯端末装置。
【請求項３】
複数のメールフォルダの中から任意のフォルダが選択指定されると共に、この選択フォルダ内に格納されている複数の電子メールの中から任意のメールが選択指定された際に、当該選択フォルダに割り当てられている表示属性情報に応じた表示形態で当該選択メールを表示出力する、
ようにしたことを特徴とする請求項1記載の携帯端末装置。
【請求項４】
前記表示属性情報は、文字サイズを示す情報であり、
電子メールを表示する際に、このメール対応のメールフォルダに割り当てられている表示属性情報に応じた文字サイズで当該メールを表示出力する、
ようにしたことを特徴とする請求項1記載の携帯端末装置。
【請求項５】
前記表示属性情報は、データの表示サイズを示す情報であり、
電子メールを表示する際に、このメール対応のメールフォルダに割り当てられている表示属性情報に応じたデータサイズで当該メールを表示出力する、
ようにしたことを特徴とする請求項1記載の携帯端末装置。
【請求項６】
前記表示属性情報は、メールフォルダに対応して任意に割り当て設定されたユーザ設定情報である、ことを特徴とする請求項1記載の携帯端末装置。
【請求項７】
メールフォルダ対応のアイコンを表示する際に、このメールフォルダに割り当てられている表示属性情報に応じた表示形態で当該アイコンを表示出力する、
ようにしたことを特徴とする請求項1記載の携帯端末装置。
【請求項８】
電子メールを送受信するメール機能を備えた携帯端末装置であって、
受信メールに含まれている文字列データの文字数を計数する計数手段と、
この計数手段によって得られた文字数に基づいて前記受信メールの表示サイズを決定する決定手段と、
この決定手段によって決定された表示サイズで前記受信メールを表示出力する表示制御手段と、
を具備したことを特徴とする携帯端末装置。
【請求項９】
コンピュータに対して、
受信あるいは送信した電子メールを分類別に格納するための複数のメールフォルダに対応して、メールフォルダ毎に割り当てられている表示属性情報を記憶管理する機能と、
前記メールフォルダ内の電子メールを表示する際に、この電子メール対応のメールフォルダに割り当てられている表示属性情報を読み出し、この表示属性情報に応じた表示形態で当該電子メールを表示出力する機能と、
を実現させるためのプログラム。
【請求項１０】
コンピュータに対して、
受信メールに含まれている文字列データの文字数を計数する機能と、
この文字数に基づいてメールの表示サイズを決定する機能と、
この表示サイズでメールを表示出力する機能と、
を実現させるためのプログラム。
【発明の詳細な説明】
【技術分野】
【０００１】
この発明は、電子メールを送受信するメール機能を備えた携帯端末装置およびプログラムに関する。
【背景技術】
【０００２】
従来、電子メールを分類別に保存して表示出力する技術としては、受信メールを分類項目別に保存しておき、この分類項目別の受信メール数が所定回数に達した際に、この分類別メールのリストを作成して表示するようにした電子メール装置が知られている（特許文献１参照）。また、送信メール／受信メールから特殊文字列を検出することによって意図したメールのみをフォルダに分類保存して表示するようにしたメール表示方法が知られている（特許文献２参照）。
【特許文献１】特開平１１−１７５４３０号公報
【特許文献２】特開２００４−１１８５２８号公報
【発明の開示】
【発明が解決しようとする課題】
【０００３】
しかしながら、上述した各特許文献にあっては、メールを分類別に保管可能ではあるが、メールを表示出力させる際には、その都度、利用者がその表示文字サイズを個別に選択指定しなければならなかった。
ところで、一般に、ニュースなどの情報メールは、比較的文字数が多い長文メールであるが、親友、家族からの連絡メールは、要件だけの短文メールの場合が多い。このように文字数などのデータ量がメール毎に大きく相違しているような場合、受信メールを表示する都度、表示文字サイズを選択変更するための一連の操作として、たとえば、メインメニューを開いた後に、このメニュー画面中から「設定」の項目を選択し、次ぎに、その下層メニューから「文字サイズ」を選択した後、「サイズ種」を選択するなど、極めて面倒な操作が必要となり、利用者に大きな負担をかけていた。
【０００４】
第１の発明の課題は、メール表示時に特別な操作を行うことなく、電子メールを分類別に格納するメールフォルダ毎にメールの表示形態を変更できるようにすることである。
第２の発明の課題は、メール表示時に特別な操作を行うことなく、受信メールの文字数に基づいてその表示文字サイズを変更できるようにすることである。
【課題を解決するための手段】
【０００５】
請求項１記載の発明（第１の発明）は、電子メールを送受信するメール機能を備えた携帯端末装置であって、受信あるいは送信した電子メールを分類別に格納するための複数のメールフォルダに対応して、メールフォルダ毎に割り当てられている表示属性情報を記憶管理する表示属性記憶手段と、前記メールフォルダ内の電子メールを表示する際に、この電子メール対応のメールフォルダに割り当てられている表示属性情報を前記表示属性記憶手段から読み出し、この表示属性情報に応じた表示形態で当該電子メールを表示出力する表示制御手段とを具備したことを特徴とする。
さらに、コンピュータに対して、上述した請求項１記載の発明に示した主要機能を実現させるためのプログラムを提供する（請求項９記載の発明）。
【０００６】
なお、「メールフォルダ」は、受信メールを格納する受信フォルダに限らず、送信済みのメールを格納する送信フォルダであってもよい。また、「表示属性情報」は、たとえば、文字サイズ、色の種類、メール全体の表示サイズなどであり、また、メール全体あるいはその一部分の表示形態を変更するようにしてもよい。
【０００７】
なお、請求項１記載の発明は次のようなものであってもよい。
差出人を示すメールアドレスに対応して、受信メールの格納先を示すメールフォルダを指定するフォルダ指定情報を記憶するアドレス帳を設け、メールを受信した際に、この受信メールの差出人であるメールアドレスに基づいて前記アドレス帳を検索し、対応するフォルダ指定情報に基づいて当該メールの格納先となるメールフォルダを特定すると共に、この特定フォルダに割り当てられている表示属性情報に応じた表示形態で当該受信メールを表示出力する（請求項２記載の発明）。
【０００８】
複数のメールフォルダの中から任意のフォルダが選択指定されると共に、この選択フォルダ内に格納されている複数の電子メールの中から任意のメールが選択指定された際に、当該選択フォルダに割り当てられている表示属性情報に応じた表示形態で当該選択メールを表示出力する（請求項３記載の発明）。
【０００９】
前記表示属性情報は、文字サイズを示す情報であり、電子メールを表示する際に、このメール対応のメールフォルダに割り当てられている表示属性情報に応じた文字サイズで当該メールを表示出力する（請求項４記載の発明）。
【００１０】
前記表示属性情報は、データの表示サイズを示す情報であり、電子メールを表示する際に、このメール対応のメールフォルダに割り当てられている表示属性情報に応じたデータサイズで当該メールを表示出力する（請求項５記載の発明）。
【００１１】
前記表示属性情報は、メールフォルダに対応して任意に割り当て設定されたユーザ設定情報である（請求項６記載の発明）。
【００１２】
メールフォルダ対応のアイコンを表示する際に、このメールフォルダに割り当てられている表示属性情報に応じた表示形態で当該アイコンを表示出力する（請求項７記載の発明）。
【００１３】
請求項８記載の発明（第２の発明）は、電子メールを送受信するメール機能を備えた携帯端末装置であって、受信メールに含まれている文字列データに基づいてその文字数を計数する計数手段と、この計数手段によって得られた文字数に基づいて前記受信メールの表示サイズを決定する決定手段と、この決定手段によって決定された表示サイズで前記受信メールを表示出力する表示制御手段とを具備したことを特徴とする。
さらに、コンピュータに対して、上述した請求項８記載の発明に示した主要機能を実現させるためのプログラムを提供する（請求項１０記載の発明）。
【発明の効果】
【００１４】
請求項１記載の発明（第１の発明）によれば、受信あるいは送信した電子メールを分類別に格納するための複数のメールフォルダを有し、このメールフォルダ内の電子メールを表示する際に、この電子メール対応のメールフォルダに割り当てられている表示属性情報に応じた表示形態で当該電子メールを表示出力するようにしたから、メール表示時に特別な操作を行うことなく、メールを分類別に格納するメールフォルダ毎にメールの表示形態を変更することができ、利用者の負担を軽減できるほか、各分類と表示形態との対応付けが可能となる。
【００１５】
請求項２記載の発明によれば、上述した請求項１記載の発明と同様の効果を有する他、メールを受信した際に、この受信メールの差出人であるメールアドレスに基づいてアドレス帳を検索し、このメールアドレスに対応付けられているフォルダ指定情報に基づいて当該メールの格納先となるメールフォルダを特定すると共に、この特定フォルダに割り当てられている表示属性情報に応じた表示形態で当該受信メールを表示出力するようにしたから、受信メールの表示形態をその差出人に応じて自動変更することができる。この場合、たとえば、ニュースなどの情報メールのように比較的文字数の多いメールの場合には、表示文字サイズを小さくすることによって１画面内に表示可能な文字数を多くして全体的なページ数を削減し、また、親友、家族からの連絡メールのように比較的短いメールの場合には、表示文字サイズを大きくすることによって見易くすることができるなど、差出人に応じた表示形態で受信メールの内容を表示することができる。
【００１６】
請求項３記載の発明によれば、上述した請求項１記載の発明と同様の効果を有する他、複数のメールフォルダの中から任意のフォルダが選択され、かつ、この選択フォルダ内から任意のメールが選択指定された際に、この選択フォルダに割り当てられている表示属性情報に応じた表示形態で当該選択メールを表示出力するようにしたから、たとえば、分類別に保管されているメールを選択する操作を行うだけで、選択分類対応の表示形態でメールを表示することができる。
【００１７】
請求項４記載の発明によれば、上述した請求項１記載の発明と同様の効果を有する他、表示属性情報は、文字サイズを示す情報であり、電子メールを表示する際に、このメール対応のメールフォルダに割り当てられている表示属性情報に応じた文字サイズで当該メールを表示出力するようにしたから、たとえば、予め用意されている表示文字サイズ「大」、「中」、「小」の何れかをフォルダに対応付けておけば、この３種類の何れかのフォントサイズでメール内の文字列を表示することができる。
【００１８】
請求項５記載の発明によれば、上述した請求項１記載の発明と同様の効果を有する他、表示属性情報は、文字サイズを示す情報であり、電子メールを表示する際に、このメール対応のメールフォルダに割り当てられている表示属性情報に応じた文字サイズで当該メールを表示出力するようにしたから、たとえば、予め用意されている画像サイズ「大」、「中」、「小」の何れかをフォルダに対応付けておけば、この３種類の何れかのサイズでメール内の画像を表示することができる。
【００１９】
請求項６記載の発明によれば、上述した請求項１記載の発明と同様の効果を有する他、表示属性情報は、メールフォルダに対応して任意に割り当て設定されたユーザ設定情報であるから、利用者にあっては、必要に応じて何時でも表示属性情報を変更することが可能となる。
【００２０】
請求項７記載の発明によれば、上述した請求項１記載の発明と同様の効果を有する他、メールフォルダ対応のアイコンを表示する際に、このメールフォルダに割り当てられている表示属性情報に応じた表示形態で当該アイコンを表示出力するようにしたから、フォルダアイコンの表示形態と、このフォルダに格納されているメールの表示形態とを対応付けることが可能となり、フォルダ内のメールを開く前にそのアイコンの表示形態からメールがどのような形態で表示されるかを知ることができる。
【００２１】
請求項８記載の発明（第２の発明）によれば、受信メールに含まれている文字列データの文字数を計数すると共に、この文字数に基づいて受信メールの表示サイズを決定し、この表示サイズで受信メールを表示出力するようにしたから、メール表示時に特別な操作を行うことなく、受信メールの文字数に基づいてその表示文字サイズを変更することができ、利用者の負担を軽減することが可能となる。
【発明を実施するための最良の形態】
【００２２】
以下、図１〜図１０を参照して本発明の実施例を説明する。
図１は、この実施例における携帯電話装置の基本的な構成要素を示したブロック図である。
この携帯電話装置は、通話機能、携帯メール機能以外の付加機能として、カメラ撮影機能、インターネット機能、録音機能などが装備されている。ここで、電子メールを送受信する携帯メール機能には、メール作成機能、メール送信機能、メール受信機能、電話帳(アドレス帳)作成機能などの基本機能のほかにも各種の補助機能として、受信メールをその差出人別に複数のメールフォルダに振り分け格納する機能、新規な差出人のメールアドレスを電話帳(アドレス帳)に自動登録する機能などを有している。
なお、この実施例の特徴部分を詳述する前に、この実施例のハードウェア上の構成について以下、説明しておく。
【００２３】
ＣＰＵ１は、記憶部２内の各種のプログラムに応じてこの携帯電話装置の全体動作を制御する中央演算処理装置である。記憶部２は、不揮発性メモリ(内部メモリ)であり、たとえば、ＲＯＭ(フラッシュメモリなど)によって構成され、プログラム領域とデータ領域とを有し、このプログラム領域には、後述する図５〜図８に示す動作手順に応じて本実施例を実現するためのプログラムが格納されている。ＲＡＭ３は、ワーク領域を有する内部メモリであり、また、メモリカード４は、着脱自在な記録メディアであり、たとえば、スマートメディア、ＩＣカードなどによって構成され、ＲＡＭ３との間において画像データなどの授受が行われる。
【００２４】
ＣＰＵ１には、通信データ処理部５、オーディオインターフェイス６が接続されており、アンテナ７からの受信電波が無線部８によって検波、復調されると共にデジタル変換されて通信データ処理部５に与えられると、通信データ処理部５は、通話呼出、メール受信、インターネット受信かを判別し、通話呼出あるいはメール受信であれば、ＣＰＵ１は、音源ＩＣ部９に設定されている着信音を読み出してアンプ(ＡＭＰ)１０に与え、報知用スピーカ１１から着信音を発生出力させると共に、表示制御部１２を介して報知用ＬＥＤ１３を点滅駆動させる。
【００２５】
さらに、ＣＰＵ1は、通話呼出であれば、オンフック操作(応答操作)によって通話相手先との接続が確立されると、通信データ処理部５からの音声データをオーディオインターフェイス６を介して音声スピーカ１４から発生出力させる。この場合、マイクロホン１５からの入力音声は、オーディオインターフェイス６、通信データ処理部５を介して無線部８に与えられて変調された後にアンテナ７から発信出力される。また、ＣＰＵ１は、電子メールを受信した場合には、受信メールを通信データ処理部５から取り込んでＲＡＭ３内のメールボックス内に格納保存し、電子メールを送信した場合には、送信メールをＲＡＭ３内のメールボックス内に格納保存する。
【００２６】
また、ＣＰＵ１には、その入出力周辺デバイスであるキー操作部１６が接続されていると共に、表示制御部１２を介してメイン表示部１７、サブ表示部１８が接続されているほか、さらには、カメラ撮像部１９が接続されている。キー操作部１６には、ダイアル番号などの数値データを入力したり、文字データを入力したり、各種のコマンドを入力する際に使用されるもので、図示省略したが、メインメニューを呼び出すためのメニューキー、メール機能を起動するメールキー、カメラ撮影機能を起動するカメラキー、電源のオン／オフ時、通話を切るオフフック操作時に使用される電源キー、通話発信の開始／応答受信(オンフック)を指示する開始キーと、電話番号を入力するほか、電話帳データ登録時あるいはメール作成時に文字を入力するダイヤルキー、４方向に対応してメニュー項目などを選択するカーソルキー、カーソルキーで選択された項目を決定するときなどに使用される決定キーなどを有している。
【００２７】
メイン表示部１７は、たとえば、2.4インチのカラー液晶画面(高精細ディスプレイ)である。サブ表示部１８は、折り畳み式の装置本体を折り畳んだ状態において、たとえば、現在時刻、メッセージなどを案内表示する背面側の画面である。カメラ撮像部１９は、撮影レンズ、ミラー等のレンズ・ミラーブロック、ＣＣＤイメージセンサ等の撮像素子、その駆動系のほか、測距センサ、光量センサ、アナログ処理回路、信号処理回路、圧縮伸張回路等を備えたもので、光学ズームを調整制御したり、オートフォーカス時の駆動制御、シャッター駆動制御、露出、ホワイトバランス等を制御する。
【００２８】
図２は、電子メールを格納するメールボックス(受信ボックス・送信ボックス)の構成を示した図である。
メールボックスは、受信ボックス(受信メールフォルダ)ＲＢＸと送信ボックス(送信メールフォルダ)ＴＢＸとを有する構成で、受信ボックス(受信メールフォルダ)ＲＢＸは、受信メールを分類別に記憶管理するためのメールフォルダであり、１つのメインフォルダＭＦと４つのサブフォルダＳＦ１〜ＳＦ４を有する構成となっている。各サブフォルダＳＦ１〜ＳＦ４は、たとえば、家族、友人、メールマガジンなどの情報提供者、会社関係者などの分類に対応付けられたもので、ＣＰＵ１は、受信メールを取得する毎に、この受信メール内の差出人のメールアドレスに基づいてその差出人を特定し、該当する分類のサブフォルダに受信メールを振り分けて分類格納するようにしている。なお、メインフォルダＭＦは、上述した分類に該当しない非分類の受信メールを混在して格納するためのメールフォルダである。送信ボックス(送信メールフォルダ)ＴＢＸは、送信メールを記憶管理するためのメールフォルダであり、単一のフォルダから構成されている。
【００２９】
図３は、受信ボックス(受信メールフォルダ) ＲＢＸを構成する複数のフォルダに対応して、フォルダ毎に割り当てられている表示属性情報を記憶管理する表示属性テーブル２１を示した図である。
表示属性テーブル２１には、受信ボックス(受信メールフォルダ)ＲＢＸを構成するサブフォルダＳＦ１〜ＳＦ４を示す各「メールフォルダＮｏ」に対応して、サブフォルダ毎に割り当てられている「表示属性情報」が設定されている。「表示属性情報」は、この実施例においては、メール表示時における文字サイズを示すもので、図示の例では、予め用意されている３種類の表示文字サイズ「表示大」、「表示中」、「表示小」のうち、任意に選択指定した表示文字サイズがサブフォルダＳＦ１〜ＳＦ４に割り当て設定されている。
【００３０】
ここで、サブフォルダＳＦ１を「家族」、サブフォルダＳＦ２を「友人」、サブフォルダＳＦ３を「メールマガジンなどの情報提供者」、サブフォルダＳＦ４を「会社関係者」の分類に対応するフォルダとすれば、表示文字サイズとして、サブフォルダＳＦ１およびＳＦ２には「表示大」が割り当て設定され、サブフォルダＳＦ３には「表示中」、サブフォルダＳＦ４には「表示小」が割り当て設定されている。なお、「表示大」、「表示中」、「表示小」は、標準的な文字サイズを「表示中」とすると、たとえば、「表示大」は標準サイズの２倍の大きさ、「表示小」は、標準サイズの１／２倍の大きさである。なお、「表示属性情報」は、このメインフォルダＭＦには設定されておらず、サブフォルダＳＦ１〜ＳＦ４に対応して設定されている。
【００３１】
図４は、予め作成登録された電話帳(アドレス帳)２２の構成を示した図である。
このアドレス帳２２は、「名前」、「電話番号」、「メールアドレス」のほかに、この実施例においては、「メールフォルダＮｏ」の各項目を有するもので、「メールフォルダＮｏ」は、受信メールの差出人(メールアドレス)に応じて当該受信メールの格納先を示すサブフォルダＳＦ１〜ＳＦ４を指定するためのサブフォルダ指定情報である。たとえば、差出人「ＡＡ」が友人であれば、それに対応する「メールフォルダＮｏ」として“２”が登録され、差出人「ＢＢ」がメールマガジンなどの情報提供者であれば、「メールフォルダＮｏ」として“３”が登録されている。なお、図中、「メールフォルダＮｏ」の項目に“−”を付した差出人「ＣＣ」は、上述した家族、友人などの分類に該当しない差出人であり、この“−”が付された差出人には、「メールフォルダＮｏ」が登録されていないことを示している。
【００３２】
ここで、ＣＰＵ１は、メールを受信する毎に、この受信メールの差出人であるメールアドレスに基づいてアドレス帳２２を検索し、対応する「メールフォルダＮｏ」から該当するサブフォルダＳＦ１〜ＳＦ４の何れを特定し、この特定フォルダに受信メールを格納すると共に、この特定フォルダに割り当てられている「表示属性情報」を表示属性テーブル２１から読み出し、この「表示属性情報」に応じた表示形態で当該受信メールを表示出力するようにしている。また、受信メールの差出人が「ＣＣ」のように、「メールフォルダＮｏ」が登録されていない差出人であれば、この受信メールは、メインフォルダＭＦに格納されるが、その際、この受信メール内に含まれている文字数に応じて選択された表示文字サイズ「表示大」、「表示中」、「表示小」で当該受信メールを表示出力するようにしている。
【００３３】
次ぎに、この第１実施例における携帯電話装置の動作概念を図５〜図８に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体の他に、伝送媒体を介して外部供給されたプログラム／データを利用してこの実施例特有の動作を実行することもできる。
【００３４】
図５〜図８は、電源投入に伴って実行開始される携帯電話装置の動作を示したフローチャートである。
先ず、ＣＰＵ１は、電源オンに伴う待受モードにおいて、予め設定されている壁紙用の修飾画像を読み出してメイン表示部１７に表示出力させると共に(図５のステップＳ１)、この待受画面が表示されている待受状態において、通話着信の有無をチェックする(ステップＳ２)。いま、通話着信を検出すると、電話着信処理を行い(ステップＳ３)、報知用スピーカ１１から着信音を出力させると共に、報知用ＬＥＤ１３を点滅駆動させて着信報知を行う。この際、オンフック操作(応答操作)に応じて通話可能状態となり、通話を切るオフフック操作(終了操作)が行われるまで電話着信処理が継続される。
【００３５】
また、アンテナ７、無線部８などを介して電子メールを受信した場合には(ステップＳ４でＹＥＳ)、この受信メールから差出人のメールアドレスを取得して、このメールアドレスに基づいてアドレス帳２２を検索し、その差出人を判別すると共に(ステップＳ５)、この差出人に対応してアドレス帳２２に「メールフォルダＮｏ」が登録されているか否かをチェックする(ステップＳ６)。いま、「メールフォルダＮｏ」が登録されていなければ(ステップＳ７でＮＯ)、受信メールフォルダＲＢＸを構成するメインフォルダＭＦに当該受信メールを非分類のメールとして格納するが(ステップＳ８)、差出人のメールアドレスに対応してアドレス帳２２に「メールフォルダＮｏ」が登録されていれば(ステップＳ７ででＹＥＳ)、受信メールフォルダＲＢＸを構成する各サブフォルダＳＦ１〜ＳＦ４のうち、当該「メールフォルダＮｏ」で示されるサブフォルダをメールの格納先として指定して当該受信メールを指定フォルダ内に分類格納する(ステップＳ９)。その後、報知用スピーカ１１から着信音を出力させると共に、報知用ＬＥＤ１３を点滅駆動させてメール着信の報知を行う(ステップＳ１０)。
【００３６】
そして、図７のステップＳ２５に移り、受信メールの格納先であるフォルダは、サブフォルダＳＦ１〜ＳＦ４であるかを調べ、サブフォルダであれば、表示属性テーブル２１を検索して当該サブフォルダに割り当てられている表示属性情報を読み出して(ステップＳ２６)、その属性種の判別を行う(ステップＳ２７)。ここで、表示属性種が「表示小」であれば、受信メール内に含まれている各文字列を小文字サイズで表示出力させ(ステップＳ２８)、「表示大」であれば、受信メールの各文字列を大文字サイズで表示出力させ(ステップＳ２９)、「表示中」であれば、受信メールの各文字列を中文字サイズで表示出力させる(ステップＳ３０)。この場合、メールの題名、メール本文が表示属性に応じた文字サイズで表示されるが、差出人のメールアドレスも表示属性に応じた文字サイズで表示するようにしてもよく、または、メール本文のみを表示属性に応じた文字サイズで表示するようにしてもよい。
【００３７】
その後、ＣＰＵ１は、メールを確認した利用者から返信指示を受けたか、メール確認の終了指示を受けたかを調べ(ステップＳ３１)、終了指示を受けた際には、上述した待受画面に戻る(図５のステップＳ１)。また、返信指示を受けた際には、返信メール用のフォームを読み出し、これを中文字サイズで表示出力させる(ステップＳ３２)。そして、このメールフォームによって返信メールが入力作成されると(ステップＳ３３)、この返信メールは、送信指示に応答して返信相手先に送信される(ステップＳ３４)。そして、図５のステップＳ１に戻って待受画面となる。なお、引用返信が指示された場合には、受信メール内の引用文字列も中文字サイズで表示出力される。
【００３８】
一方、受信メールの格納先がメインフォルダＭＦであれば(ステップＳ２５でＮＯ)、受信メールの本文中に含まれている行列方向の文字数を行列毎にカウントすると共に(ステップＳ３５)、この行列毎のカウント値は、「９×９」以下であるか(ステップＳ３６)あるいは「１１×１１」以下であるかを調べる(ステップＳ３７)。いま、「９×９」以下であれば(ステップＳ３６でＹＥＳ)、この受信メールを小文字サイズで表示出力させ(ステップＳ２８)、「９×９」を超えても「１１×１１」以下であれば(ステップＳ３７でＹＥＳ)、受信メールを中文字サイズで表示出力させ(ステップＳ３０)、「１１×１１」を超えていれば(ステップＳ３７でＮＯ)、受信メールを大文字サイズで表示出力させる(ステップＳ２９)。
【００３９】
他方、待受画面が表示されている待受状態において、何らかのキー操作が行われた場合には(図６のステップＳ１１でＹＥＳ)、メールメニューのオープンを指示するキー操作が行われたか (ステップＳ１２)、アドレス帳２２の設定を指示するキー操作が行われたかを判別する(ステップＳ１８)。ここで、メールメニューのオープンを指示するキー操作あるいはアドレス帳２２の設定を指示するキー操作でなければ(ステップＳ１１およびＳ１８でＮＯ)、操作キーに対応する処理として、たとえば、ダイヤル入力発信処理、メール作成処理などの実行に移るが(ステップＳ１９)、アドレス帳の設定を指示するキー操作、つまり、メインメニュー画面から「アドレス帳の設定」の項目を選択するためのキー操作が行われた場合には(ステップＳ１８でＹＥＳ)、アドレス帳２２の設定処理に移る(ステップＳ２０〜Ｓ２４)。
【００４０】
先ず、ＣＰＵ１は、アドレス帳２２の登録内容を一覧表示させると共に(ステップＳ２０)、アドレス帳２２の内容を編集(追加／変更／削除)するためにアドレス情報(名前、電話番号、メールアドレス)が入力されたり、編集対象が選択指定されると(ステップＳ２１)、それに基づいてアドレス帳２２の内容を編集処理する(ステップＳ２２)。この際、メールフォルダ(サブフォルダＳＦ１〜ＳＦ４)の一覧が表示出力され、この一覧画面から受信メールの格納先である任意のメールフォルダが選択指定されると(ステップＳ２３)、選択された「メールフォルダＮｏ」がアドレス帳２２の対応する項目位置に設定されてアドレス帳の更新が行われる(ステップＳ２４)。
【００４１】
また、メールメニューのオープン指示に応答して(ステップＳ１２でＹＥＳ)、ＣＰＵ１は、メールメニュー画面を表示出力させる(ステップＳ１３)。ここで、このメニュー画面の中から「受信ボックス」あるいは「送信ボックス」のメニュー項目が選択指定されると(ステップＳ１４)、選択されたメールボックスは、「受信ボックス」かを調べ(ステップＳ１５)、送信ボックスが選択された場合には、送信ボックス(送信メールフォルダ)ＴＢＸ内に格納されている各送信メールから「題名」などを読み出して一覧表示させる(ステップＳ１６)。この状態において、一覧画面から所望する送信メールが選択指定されると、この選択メールの本文データを読み出して表示出力させる(ステップＳ１７)。この際、メール本文は、中文字サイズで表示出力される。
【００４２】
上述したメールメニュー画面から「受信ボックス」が選択された場合には(ステップＳ１５でＹＥＳ)、図８のステップＳ３８に移り、表示属性テーブル２１をアクセスし、受信ボックス(受信メールフォルダ)ＲＢＸを構成する各サブフォルダＳＦ１〜ＳＦ４に割り当てられている「表示属性情報」を読み出し、各サブフォルダＳＦ１〜ＳＦ４のアイコンを対応する表示属性情報のサイズに変換して一覧表示させる(ステップＳ３９)。
図９は、サブフォルダのアイコン一覧画面を示した図で、アイコンサイズは、メインフォルダＭＦが「表示中」、サブフォルダＳＦ１が「表示大」、サブフォルダＳＦ２が「表示大」、サブフォルダＳＦ３が「表示小」、サブフォルダＳＦ４が「表示中」の場合を例示している。
【００４３】
ここで、利用者は、このフォルダアイコン一覧画面の中から所望するフォルダを選択指定した後に(ステップＳ４０)、この選択フォルダ対応の表示属性情報の変更を指示するキー操作を行うと、ステップＳ４１でそのことが検出されてステップＳ４２に移り、表示属性テーブル２１から指定フォルダ対応の表示属性情報を読み出す。そして、属性種選択メニューを一覧表示させると共に、指定フォルダ対応の属性種を当該メニュー画面上でハイライト表示(たとえば、点滅表示)させる(ステップＳ４３)。
図１０は、属性種選択メニュー画面を示した図で、このメニュー画面には、属性種(表示文字サイズ)として、「表示大」、「表示中」、「表示小」が一覧表示されているほか、図示の例では、属性種のハイライト表示として、「表示大」が点滅表示されている場合を例示している。
【００４４】
この状態において、図１０の属性種選択メニュー画面の中から所望する属性種が選択指定されると(ステップＳ４４)、この指定フォルダ対応の属性種を新たに選択指定された属性種に変更する処理が行われる(ステップＳ４５)。これによって、サブフォルダＳＦ１の表示属性が「表示大」から「表示中」に変更されるなど、表示属性テーブル２１において現在の表示属性情報が新たな表示属性情報に書き換え設定される。その後、ステップＳ３８に戻り、以下、上述と同様に、図９のフォルダアイコン一覧画面を表示出力させる。
【００４５】
また、図９のフォルダアイコン一覧画面の中から任意のフォルダが選択指定された場合において、表示属性の変更指示を受けなかった場合には(ステップＳ４１)、選択されたフォルダはサブフォルダか否かを判別し(ステップＳ４６)、サブフォルダであれば、指定フォルダ対応の表示属性情報を読み出すと共に(ステップＳ４７)、この指定フォルダ内に格納されている全ての受信メールの「題名」などを読み出して一覧表示させる(ステップＳ４８)。この受信メール一覧から任意のメールが選択指定されると(ステップＳ４９)、この選択メールの本文データを読み出した後(ステップＳ５０)、図７のステップＳ２７以降に移り、指定フォルダ対応の表示属性に基づいて表示文字サイズを決定し、受信メールの本文データを決定したサイズ「表示大」、「表示中」、「表示小」の何れかで表示出力させる(ステップＳ２８〜Ｓ３０)。
【００４６】
また、図９のフォルダアイコン一覧画面の中から選択指定されたフォルダがメインフォルダＭＦの場合には(ステップＳ４６でＮＯ)、上述した図７のステップＳ３５以降に移り、受信メール内の本文中に含まれている行列方向の文字数を行列毎にカウントすると共に、この行列毎のカウント値に基づいて表示文字サイズを決定し、受信メールの本文データを決定したサイズ「表示大」、「表示中」、「表示小」の何れかで表示出力させる(ステップＳ３５〜Ｓ３７、Ｓ２８〜Ｓ３０)。
【００４７】
以上のように、この実施例においてＣＰＵ１は、受信メールを分類別に格納する複数のサブフォルダＳＦ１〜ＳＦ４が設けられている状態において、このサブフォルダ内の受信メールを表示する際に、この受信メール対応のサブフォルダに割り当てられている表示属性情報に応じた表示文字サイズで当該受信メールを表示出力するようにしたから、メール表示時に特別な操作を行うことなく、メールを分類別に格納するフォルダ毎にメール本文などの表示文字サイズを変更することができ、利用者の負担を軽減できるほか、各分類と表示形態との対応付けが可能となる。
【００４８】
この場合、メールを受信した際に、ＣＰＵ１は、この受信メールの差出人であるメールアドレスに基づいてアドレス帳２２を検索し、このメールアドレスに対応付けられている「メールフォルダＮｏ」に基づいて当該メールの格納先となるサブフォルダを特定すると共に、この特定フォルダに割り当てられている表示属性情報に応じた表示文字サイズで当該受信メールを表示出力するようにしたから、受信メールの表示文字サイズをその差出人に応じて自動変更することができる。この場合、たとえば、ニュースなどの情報メールのように比較的文字数の多いメールの場合には、表示文字サイズを小さくすることによって１画面内に表示可能な文字数を多くして全体的なページ数を削減し、また、親友、家族からの連絡メールのように比較的短いメールの場合には、表示文字サイズを大きくすることによって見易くすることができるなど、差出人に応じた表示形態で受信メールの内容を表示することができる。
【００４９】
また、複数のサブフォルダＳＦ１〜ＳＦ４の中から任意のサブフォルダが選択され、かつ、この選択フォルダ内から任意のメールが選択指定された際に、ＣＰＵ１は、この選択フォルダに割り当てられている表示属性情報に応じた表示文字サイズで当該選択メールを表示出力するようにしたから、たとえば、分類別に保管されているメールを選択する操作を行うだけで、選択分類対応の表示文字サイズでメール本文などを表示させることができる。ここで、各サブフォルダに対応して任意の表示属性情報を設定可能したから、利用者にあっては、必要に応じて何時でも表示属性情報を変更することが可能となる。
【００５０】
また、受信ボックスを構成する各フォルダ対応のアイコンを表示する際に、各サブフォルダに割り当てられている表示属性情報に応じた表示サイズで当該アイコンを表示出力するようにしたから、フォルダアイコンの表示サイズと、このフォルダに格納されているメールの表示文字サイズとを対応付けることが可能となり、フォルダ内のメールを開く前にそのアイコンの表示サイズからメール本文がどのような文字サイズで表示されるかを知ることができる。
【００５１】
一方、受信メールの格納先がメインフォルダＭＦであれば、ＣＰＵ１は、受信メールの本文中に含まれている行列方向の文字数を行列毎にカウントすると共に、この行列毎のカウント値に基づいて受信メールの表示サイズを決定し、この表示サイズで受信メールを表示出力するようにしたから、メール表示時に特別な操作を行うことなく、受信メールの文字数に基づいてその表示文字サイズを変更することができ、利用者の負担を軽減することが可能となる。
【００５２】
なお、上述した実施例においては、サブフォルダＳＦ１〜ＳＦ４毎に割り当てられている表示属性情報を「表示文字サイズ」とした場合を例示したが、表示文字サイズのほかに、画像サイズを含めたものであってもよい。
すなわち、図１１(Ａ)〜(Ｃ)は、カメラ撮影された画像が添付されているメールを受信した場合に、表示属性に応じた受信メールの表示形態を例示したもので、(Ａ)は「表示小」、(Ｂ)は「表示中」、(Ｃ)は「表示大」の場合で、表示文字サイズに略比例して添付画像の表示サイズも「表示小」、「表示中」、「表示大」となるようにしてもよい。
【００５３】
また、上述した実施例においては、受信メールを表示する場合にサブフォルダＳＦ１〜ＳＦ４に対応付けられている表示属性情報に基づいてその表示文字サイズを変更するようにしたが、送信したメールを格納する送信ボックス(送信メールフォルダ) ＴＢＸから読み出して確認表示する場合においても、当該送信メールフォルダに対応する表示属性に基づいて送信メールの表示形態を変更するようにしてもよい。
また、上述した実施例においては、フォルダ対応の表示属性情報として、表示文字サイズを例示したが、色の種類、メール全体の表示サイズなどであってよく、また、メール全体あるいはその一部分の表示形態を変更する場合であってもよい。
【００５４】
その他、受信ボックス(受信メールフォルダ)ＲＢＸは、１つのメインフォルダＭＦと４つのサブフォルダＳＦ１〜ＳＦ４を有する構成としたが、５以上のサブフォルダを設けた構成であってもよく、その数は任意であり、必要に応じてサブフォルダを新規作成すればよい。また、携帯電話装置に限らず、たとえば、ＰＤＡなどの携帯端末装置であっても同様に適用可能である。
【００５５】
一方、コンピュータに対して、上述した各手段を実行させるためのプログラムコードをそれぞれ記録した記録媒体（たとえば、ＣＤ−ＲＯＭ、フレキシブルディスク、ＲＡＭカード等）を提供するようにしてもよい。すなわち、コンピュータが読み取り可能なプログラムコードを有する記録媒体であって、受信あるいは送信した電子メールを分類別に格納するための複数のメールフォルダに対応して、メールフォルダ毎に割り当てられている表示属性情報を記憶管理する機能と、前記メールフォルダ内の電子メールを表示する際に、この電子メール対応のメールフォルダに割り当てられている表示属性情報を読み出し、この表示属性情報に応じた表示形態で当該電子メールを表示出力する機能とを実現させるためのプログラムを記録したコンピュータが読み取り可能な記録媒体を提供するようにしてもよい。
【００５６】
また、コンピュータが読み取り可能なプログラムコードを有する記録媒体であって、受信メールに含まれている文字列データの文字数を計数する機能と、この文字数に基づいてメールの表示サイズを決定する機能と、この表示サイズでメールを表示出力する機能とを実現させるためのプログラムを記録したコンピュータが読み取り可能な記録媒体を提供するようにしてもよい。
【図面の簡単な説明】
【００５７】
【図１】携帯電話装置の基本的な構成要素を示したブロック図。
【図２】電子メールを格納するメールボックス(受信ボックス・送信ボックス)の構成を示した図
【図３】受信ボックス(受信メールフォルダ)を構成する複数のサブフォルダに対応して、サブフォルダ毎に割り当てられている表示属性情報を記憶管理する表示属性テーブル２１を示した図。
【図４】アドレス帳２２の構成を示した図。
【図５】電源投入に伴って実行開始される携帯電話装置の動作を示したフローチャート。
【図６】図５に続く、携帯電話装置の動作を示したフローチャート。
【図７】図５に続く、携帯電話装置の動作を示したフローチャート。
【図８】図６に続く、携帯電話装置の動作を示したフローチャート。
【図９】サブフォルダのアイコン一覧画面を示した図。
【図１０】属性種選択メニュー画面を示した図。
【図１１】実施例の変形応用例として、(Ａ)〜(Ｃ)は、カメラ撮影された画像が添付されているメールを受信した場合に、表示属性に応じた受信メールの表示形態を例示した図。
【符号の説明】
【００５８】
１  ＣＰＵ
２  記憶部
５  通信データ処理部
７  アンテナ
８  無線部
１２  表示制御部
１６  キー操作部
１７  メイン表示部
２１  表示属性テーブル
ＲＢＸ  受信ボックス(受信メールフォルダ)
ＭＦ  メインフォルダ
ＳＦ１〜ＳＦ４  サブフォルダ
ＴＢＸ  送信ボックス(送信メールフォルダ) 
２２  アドレス帳
【図１】
2006155005.tif 000003
【図２】
2006155005.tif 000004
【図３】
2006155005.tif 000005
【図４】
2006155005.tif 000006
【図５】
2006155005.tif 000007
【図６】
2006155005.tif 000008
【図７】
2006155005.tif 000009
【図８】
2006155005.tif 000010
【図９】
2006155005.tif 000011
【図１０】
2006155005.tif 000012
【図１１】
2006155005.tif 000013